(57)【要約】【課題】  欧州のＴＶ標準のように垂直同期信号周波数が低いときに発生する大面積フリッカを低減し、サブフレーム法に起因して発生する動画疑似輪郭を低減する表示装置を提供する。【解決手段】  入力画像信号の１フレーム期間を、複数のサブフレームに分割し、入力画像信号の入力階調に応じて、必要なサブフレームを選択することで多階調表示を行い、互いに入力階調に対する出力階調の特性が異なる２組のコーディングテーブルを有する表示装置において、動画疑似輪郭の発生しやすい最上位サブフレームの位置をコーディングテーブルａの第１のグループと第２のグループ、コーディングテーブルｂの第１のグループと第２のグループにおいて互いに異なるようにする。【選択図】  図２６
2006098618.tif 000002
【特許請求の範囲】
【請求項１】
入力画像信号の１フレーム期間を、互いに異なる輝度重み付けをした複数のサブフレームに分割し、前記入力画像信号の入力階調に応じて前記複数のサブフレームを選択し出力階調を得ることで多階調表示を行うようにした表示装置において、
前記入力階調に対する前記出力階調の特性が互いに異なるように前記複数のサブフレームを組み合わせ選択させる第１及び第２のテーブルと、
前記第１及び第２テーブルを前記入力画像信号のフレーム単位又は画素単位で順次巡回的に切り替え使用し、前記入力画像信号の入力階調に応じた前記出力階調の画像信号を出力する画像処理手段と、
を有し、
前記第１のテーブル内をさらに第１のサブフレームグループと第２のサブフレームグループに分割し、前記第１のサブフレームグループ及び第２のサブフレームグループの内予め決められた所定の値以上の輝度重み付けサブフレームが、前記入力画像信号が第ｎ−１階調（ｎは整数）から第ｎ階調に変化するところから選択されると共に、
前記第２のテーブル内をさらに第３のサブフレームグループと第４のサブフレームグループに分割し、前記第３のサブフレームグループ及び第４のサブフレームグループの内予め決められた所定の値以上の輝度重み付けサブフレームが、前記入力画像信号が第ｍ−１階調（ｍは整数）から第ｍ階調に変化するところから選択され、前記ｎ及びｍが互いに異なるように設定してサブフレームを選択し出力階調を得ることで多階調表示を行うようにしたことを特徴とする表示装置。
【請求項２】
入力画像信号の１フレーム期間を、互いに異なる輝度重み付けをした複数のサブフレームに分割し、前記入力画像信号の入力階調に応じて前記複数のサブフレームを選択し出力階調を得ることで多階調表示を行うようにした表示装置において、
前記入力階調に対する前記出力階調の特性が互いに異なるように前記複数のサブフレームを組み合わせ選択させる第１及び第２のテーブルと、
前記第１及び第２テーブルを前記入力画像信号のフレーム単位又は画素単位で順次巡回的に切り替え使用し、前記入力画像信号の入力階調に応じた前記出力階調の画像信号を出力する画像処理手段と、
を有し、
前記第１のテーブル内をさらに第１のサブフレームグループと第２のサブフレームグループに分割し、前記第２のテーブル内をさらに第３のサブフレームグループと第４のサブフレームグループに分割し、前記第１のサブフレームグループと第２のサブフレームグループとの組及び前記第３のサブフレームグループと第４のサブフレームグループとの組の内予め決められた所定の値以上の輝度重み付けサブフレームが、前記入力画像信号が第ｋ−１階調（ｋは整数）から第ｋ階調に変化するところから選択され出力階調を得ることで多階調表示を行うようにしたことを特徴とする表示装置。
【請求項３】
入力画像信号の１フレーム期間を、互いに異なる輝度重み付けをした複数のサブフレームに分割し、前記入力画像信号の入力階調に応じて前記複数のサブフレームを選択し出力階調を得ることで多階調表示を行うようにした表示装置において、
前記複数のサブフレームを前記入力階調に対する前記出力階調の特性が互いに異なるように組み合わせ選択させる第１及び第２のテーブルと、
前記入力画像信号の１フレーム及び画素のうち、いずれか一方又は両方を単位として前記第１及び第２テーブルを順次巡回的に切り替え使用し、前記入力画像信号の入力階調に応じた前記出力階調の画像信号を出力する画像処理手段と、
を有し、
前記第１及び第２のテーブルの前記入力階調に対する前記出力階調の特性である入出力特性において、入力を横軸、出力を縦軸とした場合に、前記入出力特性がそれぞれｐ本（ｐは整数）の直線で表せるとともに、前記出力階調が前記第１及び第２のテーブルの出力特性の平均値で表されるようにサブフレームを組み合わたことを特徴とする表示装置。
【発明の詳細な説明】
【技術分野】
【０００１】
本発明は表示装置に関し、特に画像信号の１フレーム期間を複数のサブフレームで構成し、そのサブフレームを適宜選択することで多階調表示を行うようにした表示装置に関する。
【背景技術】
【０００２】
画像信号を点灯か非点灯の２値で表示する表示装置の一例としてプラズマディスプレイパネル（以下、ＰＤＰと記す）では、中間階調を出すために、画像信号の１フレーム期間を点灯時間の異なる複数のサブフレームに分割し、画像信号の階調に応じてこのサブフレームを適宜選択表示し、視覚積分効果を利用して多階調表示を行うようにしている。
【０００３】
図２７に上述の表示装置におけるブロック図の一例を示す。同図に示すように、表示装置に表示されるべき画像信号は画像処理回路１に入力され、ここで誤差拡散処理、ディザ生成、逆ガンマ補正等の周知の画像処理が行われる。画像処理回路１により画像処理された画像信号は、コーディングテーブルａ・２、コーディングテーブルｂ・３に入力され、ここで対応するＲ（赤）、Ｇ（緑）及びＢ（青）の三原色の各画素が発光すべきサブフレームに変換される。ＳＥＬ４は、これらの２つのコーディングテーブルａ・２とコーディングテーブルｂ・３を画素ごと、またはフレーム毎を単位として交互に切り替える機能を有している。ＳＥＬ４で選択されたコーディングテーブルの出力は、サブフレーム処理回路７に供給される。
【０００４】
一方、表示されるべき画像信号は、電力制御回路５にも入力される。ここでは１フレーム画像信号をＰＤＰに表示させた場合の消費電力を画像信号から計算し、表示装置に出力にするに相応しい電力レベル、または表示輝度レベルとなるようにパラメータを設定する。パラメータは、電力制御値として重み付けテーブル６に供給する。電力制御回路５は、表示装置で消費される電力がＰＤＰ１２及び駆動回路の限界値を越えないようにしたり、消費電力または画面内輝度を一定に保つように制御する。
【０００５】
重み付けテーブル６は電力制御回路５からの電力制御値に基づき、各サブフレームの維持期間で出力される維持パルスの回数を出力する。この出力は駆動パルス発生回路８に出力される。
【０００６】
サブフレーム処理回路７は、入力信号を一時記憶した後、各サブフレームの表示時間毎に読み出して、駆動パルス発生回路８に制御信号を供給すると共に、アドレス電極駆動回路９に画素データを供給する。駆動パルス発生回路８は、アドレス電極駆動回路９で選択された各画素の表示を行うため、Ｘ電極駆動回路１０とＹ電極駆動回路１１に駆動パルスを供給して維持放電を開始させ、選択された画素をＰＤＰ１２に表示させる。これをサブフレーム毎に連続的に行う。
【０００７】
図２８はサブフレーム法を用いた従来の表示装置において、多階調表示をする場合に使用するサブフレーム構成の一例を示す。同図において、縦軸Ｙ１〜Ｙｎは表示ラインを、横軸は時間軸を表している。同図では、２５６階調（８ビット）を得るために、１フレームを輝度の重み付けが異なる１１個のサブフレーム（ＳＦ１〜ＳＦ１１）に分割し、画像データの各階調を表示するのに必要な輝度の重み付けをしたサブフレームを構成している。この例の多階調表示は、１フレームをＭ個のサブフレームに分割して、画像データの階調に基づいたサブフレームを選択し（コーディング）、視覚的な積分効果を利用して、階調をＰＤＰ１２に画像表現する方法を採っている。
【０００８】
また、各サブフレームは、リセット期間、アドレス期間、維持放電期間でそれぞれ構成される。アドレス期間では線順次書き込みが行われる。また、図２８において模様を付した維持放電期間の長さがサブフレーム毎に異なっているのは、輝度の重み付けに相当した維持パルス（サスティンパルス）数を印加しているためである。この場合に印加される維持パルス数は、ＬＳＢ側より、１，２，４，６，１０，１６，２２，３２，４３，５４、６５であり、発光輝度を高くするために更にそのＮ倍（Ｎは自然数）のパルス数を印加している。
【０００９】
しかしながら、欧州規格のテレビ信号はフレーム周波数が５０Ｈｚであり、１フレームの表示時間が２０ｍｓと長いため上述のような単純にサブフレームの重み付けを昇順、または降順で割り当てる方法ではフリッカが発生するという問題があった。このフリッカに対する対処法として、サブフレームの組み合わせを工夫することでフリッカを軽減する提案がされている（例えば、特許文献１、特許文献２参照。）。
【００１０】
また、このようなサブフレーム法を用いて多階調表示を行う表示装置においては、動画表示中に動画疑似輪郭が現れることがよく知られおり、フリッカを取り除くこと及び動画疑似輪郭を同時に取り除く方法についても提案されている（例えば、特許文献３参照）。
【００１１】
【特許文献１】特開平５−１２７６１４号公報
【特許文献２】特開平５−１２７６３６号公報
【特許文献３】特開２００１−４２８１８公報
【発明の開示】
【発明が解決しようとする課題】
【００１２】
上述のような、欧州規格のように１フレームの映像信号を５０Ｈｚで表示する表示装置ではフリッカが発生するという問題があった。静止画のある階調レベルが表示装置上で大面積を占めるフリッカは、面フリッカとして感じ取られやすく画質を著しく低下させるからである。
また、ＰＤＰのようなサブフレームを用いて多階調表示を行う表示装置において動画像を表示する場合、動画疑似輪郭が発生するという問題があった。
【００１３】
特許文献１，２の提案では、フリッカの発生を低減することが記載されているが、動画疑似輪郭の問題については言及されていない。特許文献３の提案では、フリッカを取り除くこと及び動画疑似輪郭を同時に取り除くことが記載されている。しかしながら、フリッカを低減するため入力映像信号の上位ビットを２分割し、それに応じてサブフレームを配置したことによりフリッカを低減することを大きな課題としており、その結果動画疑似輪郭も改善されたとあるようにこの方法では特定の入力映像信号には効果があるものの、フリッカの問題と動画疑似輪郭の問題を同時に解決する至っていない。
【００１４】
本発明は、以上の点に鑑みなされたもので、欧州規格のＴＶ標準のように垂直同期信号周波数が低いとき発生するフリッカを最大限抑えつつ、同時に動画疑似輪郭を大幅に減少させた表示装置を提供することを目的とする。
【課題を解決するための手段】
【００１５】
本発明は、上記課題を解決するために、以下の１）〜３）に記載手段よりなる。
すなわち、
１）入力画像信号の１フレーム期間を、互いに異なる輝度重み付けをした複数のサブフレームに分割し、前記入力画像信号の入力階調に応じて前記複数のサブフレームを選択し出力階調を得ることで多階調表示を行うようにした表示装置において、
前記入力階調に対する前記出力階調の特性が互いに異なるように前記複数のサブフレームを組み合わせ選択させる第１及び第２のテーブルと、
前記第１及び第２テーブルを前記入力画像信号のフレーム単位又は画素単位で順次巡回的に切り替え使用し、前記入力画像信号の入力階調に応じた前記出力階調の画像信号を出力する画像処理手段と、
を有し、
前記第１のテーブル内をさらに第１のサブフレームグループと第２のサブフレームグループに分割し、前記第１のサブフレームグループ及び第２のサブフレームグループの内予め決められた所定の値以上の輝度重み付けサブフレームが、前記入力画像信号が第ｎ−１階調（ｎは整数）から第ｎ階調に変化するところから選択されると共に、
前記第２のテーブル内をさらに第３のサブフレームグループと第４のサブフレームグループに分割し、前記第３のサブフレームグループ及び第４のサブフレームグループの内予め決められた所定の値以上の輝度重み付けサブフレームが、前記入力画像信号が第ｍ−１階調（ｍは整数）から第ｍ階調に変化するところから選択され、前記ｎ及びｍが互いに異なるように設定してサブフレームを選択し出力階調を得ることで多階調表示を行うようにしたことを特徴とする表示装置。
２）入力画像信号の１フレーム期間を、互いに異なる輝度重み付けをした複数のサブフレームに分割し、前記入力画像信号の入力階調に応じて前記複数のサブフレームを選択し出力階調を得ることで多階調表示を行うようにした表示装置において、
前記入力階調に対する前記出力階調の特性が互いに異なるように前記複数のサブフレームを組み合わせ選択させる第１及び第２のテーブルと、
前記第１及び第２テーブルを前記入力画像信号のフレーム単位又は画素単位で順次巡回的に切り替え使用し、前記入力画像信号の入力階調に応じた前記出力階調の画像信号を出力する画像処理手段と、
を有し、
前記第１のテーブル内をさらに第１のサブフレームグループと第２のサブフレームグループに分割し、前記第２のテーブル内をさらに第３のサブフレームグループと第４のサブフレームグループに分割し、前記第１のサブフレームグループと第２のサブフレームグループとの組及び前記第３のサブフレームグループと第４のサブフレームグループとの組の内予め決められた所定の値以上の輝度重み付けサブフレームが、前記入力画像信号が第ｋ−１階調（ｋは整数）から第ｋ階調に変化するところから選択され出力階調を得ることで多階調表示を行うようにしたことを特徴とする表示装置。
３）入力画像信号の１フレーム期間を、互いに異なる輝度重み付けをした複数のサブフレームに分割し、前記入力画像信号の入力階調に応じて前記複数のサブフレームを選択し出力階調を得ることで多階調表示を行うようにした表示装置において、
前記複数のサブフレームを前記入力階調に対する前記出力階調の特性が互いに異なるように組み合わせ選択させる第１及び第２のテーブルと、
前記入力画像信号の１フレーム及び画素のうち、いずれか一方又は両方を単位として前記第１及び第２テーブルを順次巡回的に切り替え使用し、前記入力画像信号の入力階調に応じた前記出力階調の画像信号を出力する画像処理手段と、
を有し、
前記第１及び第２のテーブルの前記入力階調に対する前記出力階調の特性である入出力特性において、入力を横軸、出力を縦軸とした場合に、前記入出力特性がそれぞれｐ本（ｐは整数）の直線で表せるとともに、前記出力階調が前記第１及び第２のテーブルの出力特性の平均値で表されるようにサブフレームを組み合わたことを特徴とする表示装置。
【発明の効果】
【００１６】
本発明によれば、サブフレーム法を用いた表示装置において、フリッカの発生を最大限抑えつつ、同時に動画疑似輪郭を大幅に減少させる効果が得られる。
【発明を実施するための最良の形態】
【００１７】
以下、本発明に係る表示装置の発明を実施するための最良の形態につき、好ましい実施例により説明する。
【実施例１】
【００１８】
図１に実施例１に適用される表示装置のブロック図を示す。まず、入力信号は画像処理回路１に入力される。ここでは逆ガンマ処理、誤差拡散処理、ディザなどの周知の画像信号処理が行われる。必要に応じて他の画像処理を施すようにしてもよい。そして、この映像信号の出力は、コーディングテーブルａとコーディングテーブルｂ、電力制御回路５に供給される。各コーディングテーブルでは、各階調ごとに１フレーム期間内の各サブフレームの発光の有無を表したデータが記録されている。ＳＥＬ４には、各階調に対応したサブフレームの発光の有無を表したデータが出力される。ＳＥＬ４は、１フレーム及び画素のうち、いずれか一方又は両方を単位として順次巡回的にコーディングテーブルを切り替え使用する機能を有している。電力制御回路５は、１フレーム期間の映像信号から、ＰＤＰ１２、駆動パルス発生回路８、Ｙ電極駆動回路１１、アドレス電極駆動回路９、Ｘ電極駆動回路１０で消費される電力を予測し、パネル全体の明るさ、パネル全体の電力を制御したり、表示装置全体の最大定格電力を越えないように計算する。計算結果は、電力制御値として出力されて、重み付けテーブル６に送られる。重み付けテーブルでは、各サブフレーム期間中で発光する維持期間の維持パルス数を決定し、駆動パルス発生回路８にデータを供給する。ＳＥＬ６で選択されたコーディングテーブルの出力は、サブフレーム処理回路７に渡される。サブフレーム処理回路７は、入力信号を一時記憶した後、各サブフレームの表示時間毎に読み出して、駆動パルス発生回路８に制御信号を送ると共にアドレス電極駆動回路９に画素データを供給する。駆動パルス発生回路８は、アドレス電極駆動回路９で選択された各画素の表示を行うため、Ｘ電極駆動回路１０とＹ電極駆動回路１１に駆動パルスを供給して維持放電を開始させ、選択された画素をＰＤＰ１２に表示させる。これをサブフレーム毎に連続的に行う。
【００１９】
図２は実施例１に適用される表示装置において、多階調表示をする場合に使用するサブフレーム構成の一例を示したものである。同図において、縦軸Ｙ１〜Ｙｎは表示ラインを、横軸は時間軸を表している。同図では、２５６階調（８ビット）を得るために、１フレームを輝度の重み付けが異なる１３個のサブフレーム（ＳＦ１〜ＳＦ１３）に分割し、画像データの各階調を表示するのに必要な輝度の重み付けをしたサブフレームを構成している。この例の多階調表示は、１フレームをＭ個のサブフレームに分割して、画像データの階調に基づいたサブフレームを選択し（コーディング）、視覚的な積分効果を利用して、階調をＰＤＰ１２に画像表現する方法を採っている。
なお、実施例１ではサブフレーム数を１３としたが１４でも可能であり、アドレス時間の長さや維持パルスの回数で決定されるため、これらに限定されるものではない。また、実施例１では、入力信号の階調数を８ビット（２５６階調）としているが、９ビット（５１２階調）や１０ビット（１０２４階調）等でももちろん可能である。
【００２０】
各サブフレームは、リセット期間、アドレス期間、維持放電期間でそれぞれ構成される。アドレス期間では線順次書き込みが行われる。また、図２において模様を付した維持放電期間の長さがサブフレーム毎に異なっているのは、輝度の重み付けに相当した維持パルス（サスティンパルス）数を印加しているためである。この各サブフレームの維持パルスの回数は、図１の重み付けテーブル６に記録されている。実施例１においては、１フレーム期間内の各サブフレームを時間軸上で重み付けの異なる２つのグループに分割している。たとえば、第１のグループをＳＦ１からＳＦ６までの６個のサブフレームの集まりとすれば、第２のグループは、ＳＦ７からＳＦ１３までの７個のサブフレームの集まりであるとする。２つのグループの重み付け合計はなるべく等しくなるようすることでフリッカを抑えられる。この場合、二つのグループの重み付け合計の差は、０から３０以内であることが好ましい。また、１フレーム期間の各サブフレームの時間的配置は、１フレーム毎に重み付けの重心が移動しないように均等に配置する。
【００２１】
図３は、実施例１における各サブフレームの重み付けの基本比率を表している。この例では、８ビットの入力に対して、２５６階調の映像信号を作り出す場合の基本比率を表している。実際には、表示装置に出力される映像信号のレベルによって発光期間の維持パルス数を制御するために、各階調ごとに各サブフレームの維持パルス数はこの値と異なる。
なお、コーディングはこの基本比率を基に作成する。この表のｃｏｄｅ１では、サブフレーム（ＳＦ）の小さいほうから重み付けが、１、２、１２、１９、３１、５４、４、６、１０、１２、１９、３１、５４である。これは、サブフレーム重み付けの重みが大きいところを重みの等しい二つのサブフレームに分割している。ここではＳＦ３、ＳＦ４、ＳＦ５、ＳＦ６とＳＦ１０、ＳＦ１１、ＳＦ１２、ＳＦ１３が分割したサブフレームになっており、それぞれの重み付けは、１２，１９、３１、５４とそれぞれ等しく設定している。
また、分割した時間的に前半の第１のグループと後半の第２のグループは、時間的に１フレーム期間をほぼ均等に分割するように配置しフリッカを抑える。１フレームが２０ｍｓである場合には、二つのグループの点灯開始時刻の差は約１０ｍｓであることが望ましい。分割されない重み付けの小さいサブフレームＳＦ１、ＳＦ２、ＳＦ７、ＳＦ８、ＳＦ９は２つのグループの前に、それぞれ適切に配置している。ここでは重み付けの小さい比率１，２をＳＦ１、ＳＦ２に割り当て、４，６、１０の重み付けをＳＦ７、ＳＦ８、ＳＦ９に割り当てている。
【００２２】
一方、ｃｏｄｅ２では、重み付けの大きいサブフレームの分割の仕方はｃｏｄｅ１と同じであるが、重み付けの小さいサブフレームの重み付けの配置が異なる。ここでは重み付け比率の小さい１、２をＳＦ７，ＳＦ８に配置し、４、６、１０の重み付けをＳＦ１、ＳＦ２、ＳＦ９に配置している。なお、ｃｏｄｅ１，２では、重み付けの小さいサブフレームを分割された第１のグループと第２のグループの前に配置したが、それぞれの後に配置してもよい。重要なのは、１フレーム期間中の第１のグループと第２のグループの時間配分が、フリッカを起こしにくいように約１０ｍｓの間隔で均等に配置されていることである。なお、ここでは第１と第２のグループの重み付けを昇順で並べたが、降順の重み付けの配置でも同様の効果を得ることができる。また、第１のグループの前、または第１のグループと第２のグループの間、または第２のグループの後に時間的余裕があれば、重み付けの小さいサブフレームを連続的に配置してもよい。
【００２３】
図４は、サブフレーム重み付けのもう一つの方法を示している。ｃｏｄｅ３においては、重み付けの大きいサブフレームをＳＦ３、ＳＦ４、ＳＦ５、ＳＦ６とＳＦ１０、ＳＦ１１、ＳＦ１２、ＳＦ１３の二つのグループに分割し、重み付けの大きいサブフレームから第１のグループ・第２のグループ…と交互に配置している。なお、一番大きい重み付けが配置されるのは、第１のグループでも第２のグループどちらでも良く、１フレーム内の重み付けの小さいサブフレームとの関係によって適切に配置する。ここでは、なるべく、サブフレーム１からサブフレーム６とサブフレーム７からサブフレーム１３の重み付けの合計がなるべく等しくなるように配置している。ＳＦ１、ＳＦ２には重み付け１，２を割り当て、ＳＦ７，ＳＦ８、ＳＦ９に４、６、８の重み付けを割り当てている。
【００２４】
一方、ｃｏｄｅ４では、第１のグループと第２のグループの時間配置はｃｏｄｅ３と同様であるが、重み付けの小さいサブフレームの時間配置が若干異なる。ここではＳＦ７，ＳＦ８、ＳＦ９に１、２、８の重み付けを配置し、ＳＦ１、ＳＦ２に４，６の重み付けを割り当てている。なお、ｃｏｄｅ３，４では、重み付けの小さいサブフレームを分割された第１のグループと第２のグループの前に配置したが、それぞれの後に配置してもよい。重要なのは、１フレーム期間中の重み付けの大きい第１のグループと第２のグループの時間配分が、フリッカを起こしにくいように約１０ｍｓの間隔で均等に配置されていることである。
【００２５】
なお、ここでは第１と第２のグループの重み付けを昇順で並べたが、降順の重み付けの配置でも同様の効果を得ることができる。また、第１のグループの前、または第１のグループと第２のグループの間、または第２のグループの後に時間的余裕があれば、重み付けの小さいサブフレームを連続的に配置してもよい。また、実施例１では、サブフレームをＳＦ１〜ＳＦ６とＳＦ７〜ＳＦ１３の２つに分割したが、ＳＦ１〜ＳＦ７、ＳＦ８〜ＳＦ１３に分割してもよい。すなわち、サブフレーム数が奇数個であるときはどちらか一方のグループのサブフレーム割り当てが１大きくなり、それが１フレームの前、または後のどちらに配置されていても同様の効果を得ることができる。また、サブフレーム数が１４の場合には、ＳＦ１〜ＳＦ７とＳＦ８〜ＳＦ１４の各７個のサブフレームで二つのグループに分割することが好ましい。なお、第１のグループと第２のグループの時間配分が、フリッカを起こしにくいように約１０ｍｓの間隔で均等に配置されていることが重要であるので、分割の仕方はこの方法に限定されない。
【００２６】
図５は、サブフレーム重み付けのもう一つの方法を示している。ｃｏｄｅ５では、サブフレームをＳＦ１〜ＳＦ６とＳＦ７〜ＳＦ１３の二つのグループに分割している。各サブフレームの重み付けは重みの小さいほうから順番にＳＦ７、ＳＦ１、ＳＦ８、ＳＦ２…と二つのグループで交互に配置する。なおサブフレームの重み付けはＳＦ１から順に、２、６、１２、２２、３２、４２、１、４、８、１７、２７、３７、４５である。
【００２７】
一方、ｃｏｄｅ６は、サブフレームをＳＦ１〜ＳＦ７とＳＦ８〜ＳＦ１３の二つのグループに分割している。各サブフレームの重み付けは重みの小さいほうから順にＳＦ１、ＳＦ８、ＳＦ２、ＳＦ９…と二つのグループで交互に順番に配置する。なおサブフレームの重み付けは小さいほうから順番に、１、４、８、１７、２７、３７、４５、２、６、１２、２２、３２、４２である。
なお、ここでは第１と第２のグループの重み付けを昇順で並べたが、降順の重み付けの配置でも同様の効果を得ることができる。また、実施例１では、サブフレームをＳＦ１〜ＳＦ６とＳＦ７〜ＳＦ１３の２つに分割したが、ＳＦ１〜ＳＦ７、ＳＦ８〜ＳＦ１３に分割してもよい。すなわち、サブフレーム数が奇数個であるときはどちらか一方のグループのサブフレーム割り当てが１大きくなり、それが１フレームの前、または後のどちらに配置されていても同様の効果を得ることができる。また、サブフレーム数が１４の場合には、ＳＦ１〜ＳＦ７とＳＦ８〜ＳＦ１４の各７個のサブフレームで二つのグループに分割することが好ましい。
【００２８】
図６は、実施例１に適用される表示装置の画素構成の一例を示している。表示装置内の各画素をそれぞれＡとＢの２つのグループに分け、千鳥格子状に配列する。ここでは画素Ａの上下左右には画素Ｂを配置し、画素Ｂの上下左右には画素Ａを配置する。ここでは画素グループＡ，ＢはそれぞれＲ（赤）、Ｇ（緑）、Ｂ（青）の副画素で構成される。
なお、表示装置上での画素のグループ分けの方法は、ここに示した方法には限定されず、Ａ，Ｂをそれぞれ縦のストライプ状に配置したり、横のストライプ状に配置してもよい。また、グループＡ，Ｂをそれぞれ縦方向に２つ続けた縦長のチェック模様であってもよい。すなわち、表示装置上から十分に離れたところから観察し、グループＡとグループＢを時間軸方向で平均化したときに画素グループが均等的に分布していればよい。
【００２９】
図７は、図６の画素グループのフレーム毎の時間経過を示している。画素グループＡは、フレーム毎にコーディングａとコーディングｂを交互に繰り返す。一方、画素グループＢは、フレーム毎にコーディングｂとコーディングａを交互に繰り返す。ある時刻において、画素グループＡがコーディングａを示していたときは、同時刻に画素グループＢにおいてはコーディングｂを示す。すなわち、両者は、互いに異なるコーディングテーブルを選択する。ここでのコーディングａは図１のコーディングテーブルａ・２に対応している。コーディングｂは、図１のコーディングテーブルｂ・３に対応している。
【００３０】
図８は、図１のコーディングテーブルａとコーディングテーブルｂの入出力特性の一例を示している。ここで横軸は、前段の画像処理回路からの入力信号の階調レベルを示している。そして縦軸は、各コーディングテーブルから出力される信号の階調レベルを示している。ここでは、入力信号が階調２５５のレベルを示していたときは、コーディングａ、コーディングｂともに出力レベルは階調２５５を示す。ここでコーディングａの入出力の関係は、入力信号が階調０〜１２８において、入力階調が１２８の時に出力階調が１３４となるように原点と結んだ直線になっている。入力階調１２８〜２５５においては、入力階調が１２８の時に出力階調が１３４となる点と、入力階調が２５５で出力階調が２５５となる点を結んだ直線となるような出力特性を選択している。同様に、ここでコーディングｂの入出力の関係は、入力信号が階調０〜１２８において、入力階調が１２８の時に出力階調が１２２となるように原点と結んだ直線になっている。入力階調１２８〜２５５においては、入力階調が１２８の時に出力階調が１２２となる点と、入力階調が２５５で出力階調が２５５となる点を結んだ直線となるような出力特性を選択している。
【００３１】
図９は、図１のコーディングテーブルａとコーディングテーブルｂの入出力特性の一例を示している。ここで横軸は、前段の画像処理回路からの入力信号の階調レベルを示している。そして縦軸は、各コーディングテーブルから出力される信号の階調レベルを示している。ここでは、入力信号が階調２５５のレベルを示していたときは、コーディングａ、コーディングｂともに出力レベルは階調２５５を示す。ここでコーディングａの入出力の関係は、入力信号が階調０〜２３０において、入力階調が２３０の時に出力階調が２４１となるように原点と結んだ直線になっている。入力階調２３０〜２５５においては、入力階調が２３０の時に出力階調が２４１となる点と、入力階調が２５５で出力階調が２５５となる点を結んだ直線となるような出力特性を選択している。同様に、ここでコーディングｂの入出力の関係は、入力信号が階調０〜２３０において、入力階調が２３０の時に出力階調が２１９となるように原点と結んだ直線になっている。入力階調２３０〜２５５においては、入力階調が２３０の時に出力階調が２１９となる点と、入力階調が２５５で出力階調が２５５となる点を結んだ直線となるような出力特性を選択している。
【００３２】
図１０は、図１のコーディングテーブルａとコーディングテーブルｂの入出力特性の一例を示している。ここで横軸は、前段の画像処理回路からの入力信号の階調レベルを示している。そして縦軸は、各コーディングテーブルから出力される信号の階調レベルを示している。ここでは、入力信号が階調２５５のレベルを示していたときは、コーディングａ、コーディングｂともに出力レベルは階調２５５を示す。ここでコーディングａの入出力の関係は、入力信号が階調０〜２０において、入力階調が２０の時に出力階調が２４となるように原点と結んだ直線になっている。入力階調２０〜２３０においては、入力階調が２０の時に出力階調が２４となる点と、入力階調が２３０で出力階調が２４１となる点を結んだ直線となるような出力特性を選択している。入力階調２３０〜２５５においては、入力階調が２３０の時に出力階調が２４１となる点と、入力階調が２５５で出力階調が２５５となる点を結んだ直線となるような出力特性を選択している。
同様に、ここでコーディングｂの入出力の関係は、入力信号が階調０〜２０において、入力階調が２０の時に出力階調が１６となるように原点と結んだ直線になっている。入力階調２０〜２３０においては、入力階調が２０の時に出力階調が１６となる点と、入力階調が２３０で出力階調が２１９となる点を結んだ直線となるような出力特性を選択している。入力階調２３０〜２５５においては、入力階調が２３０の時に出力階調が２１９となる点と、入力階調が２５５で出力階調が２５５となる点を結んだ直線となるような出力特性を選択している。
【００３３】
図８、図９の使い分けは、サブフレームのコーディングを作成する場合に、最上位サブフレームが桁上がりする階調レベルに応じて適切に選択する。図８においては、最上位サブフレームが桁上がりするサブフレームが比較的低い階調の場合に選択する。一方、図９は、最上位サブフレームが桁上がりする階調レベルが高い場合に選択する。このようにする選択することで最上位サブフレームが桁上がりする位置を異ならせ動画疑似輪郭を減少させる効果を損なうことなく出力レベルを確保できる。
【００３４】
図１０では、図８、図９の方法で低階調側の動画疑似輪郭を減少させる効果が現れにくい場合に使用する。ここでは低階調側でコーディングａとコーディングｂの出力特性を大きく異ならせることによって、低階調側での最上位サブフレームの桁上がり位置を大きく異ならせることによって動画疑似輪郭の発生を抑制する。
【００３５】
これらは従来の２つのコーディングテーブルを用いる場合と比較して、各階調における出力階調レベルを大きく確保できる。すなわち、従来の出力特性の最大値が２５５であるコーディングａと２３０の出力レベルであるコーディングｂを用いる方法では、出力輝度レベルが約５パーセント低下していた。実施例１においては、出力階調レベルを低下させることなく同様の効果を得る。すなわち表示装置におけるピーク輝度を確保できる。なお、実施例１では、２、３本の直線をつなぎ合わせた特性を持つコーディングテーブルついて考えたが、ｐ本（ｐは整数）の直線特性をつなぎ合わせたコーディングテーブルであってもよい。
【００３６】
コーディングａとコーディングｂはフレームと画素ごとに交互に切り替えて表示する。また、ＰＤＰのようなサブフレーム法では、人間の目の視覚的積分効果を用いて階調を表現するが、この場合、視覚の積分する期間は１フレーム期間と比較すると十分長く、人間の目にはコーディングａとコーディングｂの平均値が認識されることとなる。また、コーディングａとコーディングｂの入出力階調の特性がほぼ線形であるために、コーディングａとコーディングｂの平均出力特性も線形となり良好な画質特性が得られる。
【００３７】
図１１、図１２、図１３、図１４、図１５、図１６は、実施例１に適用されるコーディングテーブルの一例を示している。ここでは、図番号ａ）、ｂ）はそれぞれ図１のコーディングテーブルａ・２、コーディングテーブルｂ・３に対応している。図の横軸はサブフレームを表すＳＦ１〜ＳＦ１３が示されている。縦軸には、コーディングテーブルへ入力される入力階調レベルが示されている。ここでは入力信号として０〜２５５が示されている。ここではコーディングテーブル中の各サブフレーム重み付け比率は、図３のｃｏｄｅ１の基本比率を基に作成してある。
なお、ここで図中の○印は、ある映像信号を表示する場合に、そのＳＦがアドレス期間に選択され、発光することを示している。たとえば、入力信号が階調５で図１のＳＥＬ４でコーディングテーブルａが選択されている場合、図１１のａ）より、ＳＦ１とＳＦ７が選択される。それぞれのサブフレーム重み付けの基本比率は１、４であるので合計５が出力階調レベルとなる。
【００３８】
また、入力階調レベルが１２８でありコーディングａが選択されている場合には、図１３のａ）より、ＳＦ３、ＳＦ４、ＳＦ５、ＳＦ７、ＳＦ８、ＳＦ１０、ＳＦ１１、ＳＦ１２が選択される。それぞれの重み付け比率は、１２、１９、３１、４、６、１２、１９、３１であるので合計１３４が出力階調のレベルとなる。一方、入力階調レベルが１２８でありコーディングｂが選択されている場合には、図１３のｂ）より、ＳＦ２、ＳＦ４、ＳＦ５、ＳＦ７、ＳＦ８、ＳＦ９、ＳＦ１１、ＳＦ１２が選択される。それぞれのサブフレーム重み付けの基本比率は、２、１９、３１、４、６、１０、１９、３１であるので合計１２２が出力階調のレベルとなる。静止画の場合には、視線は隣接画素に移動しないために、人間の目にはコーディングａとコーディングｂを時間方向で積分した平均値が認識されることとなる。ここではコーディングａが１３４、コーディングｂが１２２であるために、この平均値である１２８が映像信号の階調レベルとして認識される。
【００３９】
図１７は、図１の重み付けテーブル６に対応している。図中の横軸は、各サブフレームの番号を表しており、一番左の列は、図１の電力制御回路５から送られてくる電力制御値に対応している。そして、一番右の列は、ある電力制御値における各サブフレームの維持パルスの合計を示している。ここでは電力制御値の値として０〜２５５の値をとるように設定している。この重み付けテーブルは、図１１から図１６のコーディングテーブルに対応している。例えば、電力制御値として１６０の値が与えられた場合、それぞれのサブフレームの維持パルス数は、２、４、２６、４２、６８、１１９、９、１３、２２、２６、４２、６８、１１９となる。この電力制御値における維持パルス数の合計は５６０となる。
【００４０】
図１８は、ある一つの画素に注目し、そこで選択されるコーディングテーブルａとコーディングテーブルｂの関係を示している。ここで横軸は時間方向の経過を表し、２フレーム期間のコーディングを図示している。縦軸は、入力信号の階調レベルを表しており、ここでは、階調レベルが一様に増加するランプ波形を示している。これは図１１から図１６のコーディングテーブルの発光期間を簡略的に包絡線で結んだ図と言える。即ち、各コーディングテーブルをＳＦ１〜ＳＦ６とＳＦ７〜ＳＦ１３の二つの発光グループに分割する。それぞれのグループにおいて、ある階調に注目したときに発光する最上位サブフレームと各グループの最下位サブフレームを発光期間と定める。これをすべての階調レベルにわたって定めると、図１８のような選択されている最上位サブフレームを包絡線で結んだ図となる。
【００４１】
ここでは特に、重み付けの大きいＳＦ３からＳＦ６を第１のグループとして、ＳＦ１０からＳＦ１３を第２のグループとして考える。それぞれのグループのサブフレームの重み付けは、最上位サブフレームから同じ重み付けを割り当てている。図１８においては、第１のグループの最上位サブフレーム桁上がりと第２のグループの最上位サブフレーム桁上がりが、同じ入力階調でしかも同じ重み付けを持つサブフレームで起きるようにコーディングを決定している。例えば、図１１のａ）において入力階調が２３の場合、前階調のコーディングと比較して、第１のグループにおいては、ＳＦ２からＳＦ３に最上位サブフレームが桁上がりしている。同様に、第２のグループにおいては、ＳＦ９からＳＦ１０に最上位サブフレームが桁上がりしており、第１のグループと第２のグループで、同じ重み付けを持つサブフレームが同時に桁上がりが発生していることが確認できる。同様に、階調８２、階調１４１で最上位サブフレームが同時に桁上がりする。
【００４２】
また、図１１から図１６のコーディングａとコーディングｂは、図８の入出力特性に対応している。このためにコーディングａとコーディングｂでは最上位サブフレームが桁上がりする出力階調が異なる。例えば、コーディングテーブルｂにおいては、階調レベル２５において、前階調のコーディングと比較して、第１のグループのＳＦ２からＳＦ３に桁上がりが発生している。同様に、第２のグループにおいてはＳＦ９からＳＦ１０に最上位サブフレームが桁上がりしている。よって、第１のグループと第２のグループの最上位サブフレームが同時に桁上がりしていることが確認できる。同様に、階調５１、階調９１、階調１５５で最上位サブフレームが同時に桁上がりする。
【００４３】
サブフレーム表示装置においては、動画疑似輪郭が発生することが知られているが、これは多くの場合最上位サブフレームが桁上がりするところで発生しやすい。これはｐ−１階調（ｐは整数）からｐ階調に入力階調が変化するときに、コーディングにおいて選択される最上位サブフレームが桁上がりする場合、発光のために選択されるサブフレーム数が大幅に変化することによる。このため動画像による視線の移動に伴って隣接画素のサブフレームの並びが大きく異なったサブフレーム重み付けを視覚的に積分し、動画疑似輪郭が発生する。
【００４４】
実施例１においては、図１８のように動画疑似輪郭の発生しやすい最上位サブフレームの桁上がり位置をコーディングａとコーディングｂにおいて互いに異なるようにしている。このため動画疑似輪郭の発生を大幅に抑制する効果を得ている。また、画素の並びを図６のように選択することによって、さらに動画疑似輪郭を低減する効果を得ている。また、画素配列を千鳥格子状にすることによって同時にフリッカを抑える効果を得ている。
【実施例２】
【００４５】
次に、動画疑似輪郭の発生しやすい最上位サブフレームの位置をコーディングテーブルａの第１のグループと第２のグループ、コーディングテーブルｂの第１のグループと第２のグループにおいて互いに異なるようにした実施例２について説明する。なお、図１から図１０に関しては実施例１のものを用いて説明するものとする。
【００４６】
図１９、図２０、図２１、図２２、図２３、図２４に、実施例２に適用されるコーディングテーブルの一例を示す。ここでは、図番号ａ）、ｂ）はそれぞれ図１のコーディングテーブルａ・２、コーディングテーブルｂ・３に対応している。図の横軸はサブフレームを表すＳＦ１〜ＳＦ１３が示されている。縦軸には、コーディングテーブルへ入力される入力階調レベルが示されている。ここでは入力信号として０〜２５５が示されている。ここではコーディングテーブル中の各サブフレーム重み付け比率は、図４のｃｏｄｅ３の基本比率を基に作成してある。
なお、ここで図中の○印は、ある映像信号を表示する場合に、そのＳＦがアドレス期間に選択され、発光することを示している。たとえば、入力信号が階調５で図１のＳＥＬ４でコーディングテーブルａが選択されている場合、図１９のａ）より、ＳＦ１とＳＦ７が選択される。それぞれのサブフレーム重み付けの基本比率は１、４であるので合計５が出力階調レベルとなる。
【００４７】
また、入力階調レベルが１２８でありコーディングａが選択されている場合には、図２１のａ）より、ＳＦ２、ＳＦ３、ＳＦ４、ＳＦ５、ＳＦ７、ＳＦ９、ＳＦ１０、ＳＦ１２が選択される。それぞれの重み付けの基本比率は、２、１２、２２、３２、４、８、１７、３７であるので合計１３４が出力階調のレベルとなる。一方、入力階調レベルが１２８でありコーディングｂが選択されている場合には、図２１のｂ）より、ＳＦ４、ＳＦ５、ＳＦ８、ＳＦ９、ＳＦ１０、ＳＦ１２が選択される。それぞれのサブフレーム重み付けの基本比率は、２２、３２、６、８、１７、３７であるので合計１２２が出力階調のレベルとなる。静止画の場合には、視線は隣接画素に移動しないために、人間の目にはコーディングａとコーディングｂを時間方向で積分した平均値が認識されることとなる。ここではコーディングａが１３４、コーディングｂが１２２であるために、この平均値である１２８が映像信号の階調レベルとして認識される。
【００４８】
図２５は、図１の重み付けテーブル６に対応している。図中の横軸は、各サブフレームの番号を表しており、一番左の列は、図１の電力制御回路５から送られてくる電力制御値に対応している。そして、一番右の列は、ある電力制御値における各サブフレームの維持パルスの合計を示している。ここでは電力制御値の値として０〜２５５の値をとるように設定している。この重み付けテーブルは、図１９から図２４のコーディングテーブルに対応している。例えば、電力制御値として１６０の値が与えられた場合、それぞれのサブフレームの維持パルス数は、２、４、２６、４８、７０、９２、９、１３、１８、３７、５９、８１、９９となる。この電力制御値における維持パルス数の合計は、５５８となる。
【００４９】
図２６は、ある一つの画素に注目し、そこで選択されるコーディングテーブルａとコーディングテーブルｂの関係を示している。ここで横軸は時間方向の経過を表し、２フレーム期間のコーディングを図示している。縦軸は、入力信号の階調レベルを表しており、ここでは、階調レベルが一様に増加するランプ波形を示している。これは図１９から図２４のコーディングテーブルの発光期間を簡略的に包絡線で結んだ図といえる。即ち、各コーディングテーブルをＳＦ１〜ＳＦ６とＳＦ７〜ＳＦ１３の二つの発光グループに分割する。それぞれのグループにおいて、ある階調に注目したときに発光する最上位サブフレームと各グループの最下位サブフレームを発光期間と定める。これをすべての階調レベルにわたって定めると、図２６のような選択されている最上位サブフレームを包絡線で結んだ図となる。
【００５０】
ここでは特に、重み付けの大きいＳＦ３からＳＦ６を第１のグループとして、ＳＦ１０からＳＦ１３を第２のグループとして考える。それぞれのグループのサブフレーム重み付けは、初めに第１のグループに一番小さい重み付けを持つサブフレームを配置する。次にこれよりも少し重み付けの大きいサブフレームを第２のグループに配置する。次にこれよりも少し重み付けの大きいサブフレームを第１のグループ配置する。これを第２、第１グループ…と交互に繰り返す。
なお、ここでは、最も小さい重み付けを第１のグループから開始したが、第２のグループからであっても同様の効果を得られる。また、第１のグループと第２のグループのサブフレーム重み付けの合計はなるべく近い値になることが望ましい。図２６においては、ｑ−１階調（ｑは整数）からｑ階調に入力階調が変化するときに、コーディングにおいて選択される最上位サブフレームが桁上がりする場合、第１のグループの最上位サブフレーム桁上がりと第２のグループの最上位サブフレーム桁上がりが同じ入力階調で起きないようにコーディングを選択している。
【００５１】
例えば、図１９のａ）において入力階調が２１の場合、第１のグループにおいては、前階調のコーディングと比較してＳＦ２からＳＦ３に最上位サブフレームが桁上がりしている。一方、第２のグループにおいては、ＳＦ９からＳＦ１０への最上位サブフレームの桁上がりは階調２８で発生し、第１のグループと第２のグループで同じ階調レベルで同時に桁上がりがしていない。同様に、第１のグループの階調４９と第２のグループの階調６０、第１のグループの階調８８と第２のグループの階調１１４、第１のグループの階調１５２と第２のグループの階調１７９で最上位サブフレームが桁上がりする位置を異ならせている。
【００５２】
また、図１９から図２４のコーディングａとコーディングｂは、図８の入出力特性に対応している。このためにコーディングａとコーディングｂでは最上位サブフレームが桁上がりする出力階調が互いに異なる。例えば、コーディングテーブルａにおいては、階調レベル２１において、第１のグループのＳＦ２からＳＦ３に桁上がりが発生している。第２のグループではＳＦ９からＳＦ１０への最上位サブフレームの桁上がりが階調２９で発生している。一方、コーディングテーブルｂにおいては、階調レベル２３において、第１のグループのＳＦ２からＳＦ３に桁上がりが発生している。第２のグループではＳＦ９からＳＦ１０への最上位サブフレームの桁上がりが階調３２で発生している。即ち、コーディングテーブルａの第１のグループ、第２のグループとコーディングテーブルｂの第１のグループと第２のグループの最上位サブフレームの桁上がりする入力階調がすべての入力レベルにわたって互いに異なるようにコーディングを選択している。
【００５３】
サブフレーム表示装置においては、動画疑似輪郭が発生することが知られているが、これは多くの場合最上位サブフレームが桁上がりするところで発生しやすい。これはｒ−１階調（ｒは整数）からｒ階調に入力階調が変化するときに、コーディングにおいて選択される最上位サブフレームが桁上がりする場合、発光のために選択されるサブフレーム数が大幅に変化することによる。このため動画像による視線の移動に伴って隣接画素のサブフレームの並びが大きく異なったサブフレーム重み付けを視覚的に積分し、動画疑似輪郭が発生するためである。
【００５４】
実施例２においては、図２６のように動画疑似輪郭の発生しやすい最上位サブフレームの位置をコーディングテーブルａの第１のグループと第２のグループ、コーディングテーブルｂの第１のグループと第２のグループにおいて互いに異なるようにしている。このため動画疑似輪郭の発生を大幅に抑制する効果を得ている。また、画素の並びを図６のように選択することによって、さらに動画疑似輪郭を低減する効果を得ている。また、画素配列を千鳥格子状にすることによって大画面の面状で発生しやすいフリッカを同時に抑える効果を得ている。
【００５５】
実施例１においては、コーディングテーブル内の第１のグループと第２のグループの最上位サブフレームの桁上がりが同時に起こるために、フリッカを大幅に抑える効果が特に大きい。さらに、コーディングテーブルａとコーディングｂの入出力特性を異ならせる方法を適応することにより同時に動画疑似輪郭を低減する効果を得ている。この方法は、フリッカのないサブフレームのコーディング選択を容易に作成できる利点を持っている。
【００５６】
実施例２においては、コーディングテーブル内の第１のグループと第２のグループの最上位サブフレームの桁上がり階調レベルがそれぞれ異なるために、動画疑似輪郭を大幅に低減する効果を得られる。コーディングテーブルａとコーディングテーブルｂの出力特性を異ならせる方法を同時に適応することによりさらに動画疑似輪郭を低減する効果を得ている。また、コーディングテーブル内の第１のグループと第２のグループの重み付けの合計をなるべく等しくすることによってフリッカを抑える効果も同時に得られる。
【００５７】
なお、本発明は上述の各実施例に限定されるものではなく、例えば図１のコーディングテーブル２，３を内部回路で計算によって作成するようにしてもよい。
【００５８】
更に、上述の各実施例ではＰＤＰによる表示装置について説明したが、本発明は、液晶表示装置あるいは有機エレクトロルミネセンス（ＥＬ）表示装置等のサブフレーム駆動する表示装置に適用することが可能である。
【図面の簡単な説明】
【００５９】
【図１】各実施例に適用される表示装置の構成を示した概略ブロック図である。
【図２】各実施例に適用されるサブフレーム構成を示す図である。
【図３】各実施例に適用されるサブフレーム重み付けを示す図である。
【図４】各実施例に適用されるサブフレーム重み付けを示す図である。
【図５】各実施例に適用されるサブフレーム重み付けを示す図である。
【図６】各実施例に適用される表示装置の画素構成を示す図である。
【図７】各実施例に適用されるフレーム構成を示す図である。
【図８】各実施例に適用される入力信号と出力階調の関係を示す図である。
【図９】各実施例に適用される入力信号と出力階調の関係を示す図である。
【図１０】各実施例に適用される入力信号と出力階調の関係を示す図である。
【図１１】実施例１に適用されるコーディングテーブルを示す図である。
【図１２】実施例１に適用されるコーディングテーブルを示す図である。
【図１３】実施例１に適用されるコーディングテーブルを示す図である。
【図１４】実施例１に適用されるコーディングテーブルを示す図である。
【図１５】実施例１に適用されるコーディングテーブルを示す図である。
【図１６】実施例１に適用されるコーディングテーブルを示す図である。
【図１７】実施例１に適用される重み付けテーブルを示す図である。
【図１８】実施例１に適用されるフレーム内の発光期間である。
【図１９】実施例２に適用されるコーディングテーブルを示す図である。
【図２０】実施例２に適用されるコーディングテーブルを示す図である。
【図２１】実施例２に適用されるコーディングテーブルを示す図である。
【図２２】実施例２に適用されるコーディングテーブルを示す図である。
【図２３】実施例２に適用されるコーディングテーブルを示す図である。
【図２４】実施例２に適用されるコーディングテーブルを示す図であ。
【図２５】実施例２に適用される重み付けテーブルを示す図である。
【図２６】実施例２に適用されるフレーム内の発光期間を示す図である。
【図２７】従来の表示装置の構成を示した概略ブロック図である。
【図２８】従来のサブフレーム構成を示すを示す図である。
【符号の説明】
【００６０】
１  画像処理回路
２  コーディングテーブルａ
３  コーディングテーブルｂ
４  ＳＥＬ
５  電力制御回路
６  重み付けテーブル
７  サブフレーム処理回路
８  駆動パルス発生回路
９  アドレス電極駆動回路
１０  Ｘ電極駆動回路
１１  Ｙ電極駆動回路
１２  プラズマディスプレイパネル（ＰＤＰ）
【図１】
2006098618.tif 000003
【図２】
2006098618.tif 000004
【図３】
2006098618.tif 000005
【図４】
2006098618.tif 000006
【図５】
2006098618.tif 000007
【図６】
2006098618.tif 000008
【図７】
2006098618.tif 000009
【図８】
2006098618.tif 000010
【図９】
2006098618.tif 000011
【図１０】
2006098618.tif 000012
【図１１】
2006098618.tif 000013
【図１２】
2006098618.tif 000014
【図１３】
2006098618.tif 000015
【図１４】
2006098618.tif 000016
【図１５】
2006098618.tif 000017
【図１６】
2006098618.tif 000018
【図１７】
2006098618.tif 000019
【図１８】
2006098618.tif 000020
【図１９】
2006098618.tif 000021
【図２０】
2006098618.tif 000022
【図２１】
2006098618.tif 000023
【図２２】
2006098618.tif 000024
【図２３】
2006098618.tif 000025
【図２４】
2006098618.tif 000026
【図２５】
2006098618.tif 000027
【図２６】
2006098618.tif 000028
【図２７】
2006098618.tif 000029
【図２８】
2006098618.tif 000030